(57)【要約】      （修正有）【課題】着脱便利な静音型静電式換気システムを提供する。【解決手段】第１の開放側と、第２の開放側と、底壁と、前記第１の開放側１１と前記第２の開放側１２と前記底壁で囲んでなる受容空間とを備える筐体１と、前記筐体と組み合わされると共に、その排気口が前記第１の開放側に対応するように、前記受容空間内に配置される少なくとも１つのファンモジュール２と、前記筐体と組み合わされると共に、その吸気口は前記第２の開放側に対応するように、前記受容空間内に配置される少なくとも１つの油煙除去モジュール３と、を含む静音型静電式換気システムであって、前記第１の開放側および前記第２の開放側が前記受容空間と連通しており、前記ファンモジュールと前記油煙除去モジュールとは、前記受容空間において同じ高さに設置されており、前記ファンモジュールは、前記油煙除去モジュールと前記底壁との間に配置されている。【選択図】図１Ａ
0003222079.tif 000002
【実用新案登録請求の範囲】
【請求項１】
第１の開放側と、第２の開放側と、底壁と、前記第１の開放側前記第２の開放側と前記底壁で囲んでなる受容空間とを備える筐体と、
前記筐体と組み合わされると共に、その排気口が前記第１の開放側に対応するように、前記受容空間内に配置される少なくとも１つのファンモジュールと、
前記筐体と組み合わされると共に、その吸気口は前記第２の開放側に対応するように、前記受容空間内に配置される少なくとも１つの油煙除去モジュールと、を含む静音型静電式換気システムであって、
前記第１の開放側および前記第２の開放側が前記受容空間と連通しており、
前記ファンモジュールと前記油煙除去モジュールとは、前記受容空間において同じ高さに設置されており、
前記ファンモジュールは、前記油煙除去モジュールと前記底壁との間に配置されている、ことを特徴とする静音型静電式換気システム。
【請求項２】
前記筐体の内部には、少なくとも１つの摺動溝を有し、
前記ファンモジュールは、前記摺動溝に対応するように設けられている少なくとも１つの第１の凸部を有し、
前記油煙除去モジュールは、前記摺動溝に対応するように設けられている少なくとも１つの第２の凸部を有する、ことを特徴とする請求項１に記載の静音型静電式換気システム。
【請求項３】
カバープレートを含んでおり、
前記カバープレートには、電圧、電流、回転数および動作インターフェースを示すための液晶表示パネルを有するコントロールパネルがさらに設けられている、ことを特徴とする請求項１に記載の静音型静電式換気システム。
【請求項４】
前記筐体には、入口側と出口側とを有するバッフルカバー、及び、吸気口と、排気口と、前記吸気口を閉じる少なくとも１つの可動バッフルとを有するフローガイドカバーとをさらに有し、
前記入口側は、前記第１の開放側に接続されており、
フローガイド前記排気口は、前記第２の開放側に接続されており、
フローガイド前記フローガイドカバーの内部には、洗浄水の流れを生成するための水循環装置が設けられている、ことを特徴とする請求項１に記載の静音型静電式換気システム。
【考案の詳細な説明】
【技術分野】
【０００１】
本考案は、静音型静電式換気システムに関し、特に、着脱便利な静音型静電式換気システムに関するものである。
【背景技術】
【０００２】
ケータリング施設の分野において、排煙設備は非常に重要なものである。それは、食品加工の過程で油煙が大量に発生するためである。そして、ケータリング施設において、油煙を処理するか遠い場所に排出するための排煙設備は不可欠の必要設備である。
【０００３】
排煙設備は、排煙パイプを含んでいる。前記排煙パイプの入口側（ケータリング施設の食品加工場所の近く）には換気設備が設けられおり、排煙パイプの出口側には油煙除去装置（例えば、静電式処理器）が設けられているが、排煙パイプの長さは異なるため、排煙パイプの入口側および出口側には必要に応じて、排煙パイプの内部に流れる流体（油煙）の流速を増やす中継換気設備をさらに配置する必要がある。
【０００４】
しかしながら、使用時間を経つに伴って、排煙設備には汚れ（油など）が大量に溜まることになり、また、現在の排煙設備の内部に配置されたファンや油煙除去装置は完全に固定されているため、それらを簡単に取り下げるには容易ではないし、メンテナンスまたは清潔には、いずれも、かなり困難である。
【０００５】
そのため、本考案の創作者とこの業界に従事する関連メーカーにとっては、上記の問題と欠陥をどのようにすれば解決することができるかを、研究および改善しようとする狙いである。
【考案の概要】
【考案が解決しようとする課題】
【０００６】
そこで、上記の問題を改善するために、本考案は主として、メンテナンスが容易な静音型静電式換気システムを提供することを目的とする。
【０００７】
本考案の他の主な目的は、清潔便利な静音型静電式換気システムを提供することにある。
【０００８】
本考案のもう一つの主な目的は、送風能力を任意に調節する可能な静音型静電式換気システムを提供することにある。
【課題を解決するための手段】
【０００９】
上記目的を達成するために、本考案は、第１の開放側と第２の開放側と底壁と、前記第１の開放側と前記第２の開放側と前記底壁と囲んでなる受容空間とを備える筐体と、前記筐体と組み合わされると共に、その排気口が前記第１の開放側に対応するように前記受容空間内に配置される少なくとも１つのファンモジュールと、前記筐体と組み合わされると共に、その吸気口は前記第２の開放側に対応するように前記受容空間内に配置される少なくとも１つの油煙除去モジュールと、を含む静音型静電式換気システムであって、前記第１の開放側および第２の開放側は前記受容空間と連通しており、前記ファンモジュールと前記油煙除去モジュールとは、前記受容空間において同じ高さに設置されており、前記ファンモジュールは、前記油煙除去モジュールと前記底壁との間に配置されている静音型静電式換気システムを提供する。
【００１０】
一実施形態において、前記筐体の内部には少なくとも１つの摺動溝が設けられており、前記ファンモジュールには、少なくとも１つの第１の凸部が設けられており、前記油煙除去モジュールは、少なくとも１つの第２の凸部が設けられている。また、前記第１の凸部は、前記摺動溝に対応するように設けられており、前記第２の凸部は、前記摺動溝に対応するように設けられている。
【００１１】
一実施形態において、前記筐体には、開口部をさらに有する。また、前記開口部は、前記受容空間および前記摺動溝と連通している。なお、前記ファンモジュールおよび前記油煙除去モジュールは、前記開口部を介して前記筐体の前記受容空間に配置されている。
【００１２】
一実施形態において、前記筐体には、前記開口部に対応するカバープレートをさらに有する。
【００１３】
一実施形態において、前記カバープレートには、前記筐体の一方の側面と突き合わされて係合するドアバックルがさらに設けられている。
【００１４】
一実施形態において、前記カバープレートには、電圧、電流、回転数および動作インターフェースを示す液晶表示パネルを有するコントロールパネルがさらに設けられている。
【００１５】
一実施形態において、前記筐体には、さらに、バッフルカバーとフローガイドカバーとを含む。前記バッフルカバーは、入口側と出口側とが設けられている。前記フローガイドカバーは、吸気口と排気口とが設けられている。前記入口側は、前記第１の開放側に接続されており、前記排気口は、前記第２の開放側に接続されている。
【００１６】
一実施形態において、前記フローガイドカバーには、前記吸気口を閉じる可動バッフルを少なくとも１つ有する。
【００１７】
一実施形態において、前記フローガイドカバー内には、洗浄水の流れを生成するための水循環装置が設けられている。
【００１８】
以下、本考案の上述目的および他の目的、特徴並び利点をより明白に理解できるように、添付図面を参照しながら本考案の好適な実施形態を詳細に説明する。
【図面の簡単な説明】
【００１９】
【図１Ａ】図１Ａは、本考案の第１の実施形態を示す分解図である。
【図１Ｂ】図１Ｂは、本考案の第１の実施形態を示す斜視図である。
【図１Ｃ】図１Ｃは、本考案の第１の実施形態を示す断面図である。
【図２Ａ】図２Ａは、本考案の第２の実施形態を示す斜視図である。
【図２Ｂ】図２Ｂは、本考案の第２の実施形態を示す断面図である。
【図３Ａ】図３Ａは、本考案の第３の実施形態を示す斜視図である。
【図３Ｂ】図３Ｂは、本考案の第３の実施形態を示す断面図である。
【図４】図４は、本考案の第４の実施形態を示す斜視図である。
【図５】図５は、本考案の第５の実施形態を示す斜視図である。
【考案を実施するための形態】
【００２０】
以下の実施形態において、同一または類似の符号は、同一または類似の構成要素を表す。また、以下の実施形態で記述された方向、例えば上下、左右、前後などは、ただ添付図面の方向を参考にするだけである。従って、かかる方向用語は、本考案を説明のために利用されているものであって、本考案を制限する意図が全くない。
【００２１】
図１Ａ、図１Ｂおよび図１Ｃはそれぞれ、本考案に係わる第１の実施形態を示す分解図、斜視図および断面図である。図１Ａ、図１Ｂおよび図１Ｃを参照すると、本考案に係わる換気機器は、筐体１と、複数のファンモジュール２と、複数の油煙除去モジュール３とを備えている。筐体１は、その内部の受容空間１５にファンモジュール２と油煙除去モジュール３とが配置されている。ファンモジュール２と油煙除去モジュール３とは、受容空間１５において水準レベル（高さ）が同じであるようにするに設置されている。ファンモジュール２は、油煙除去モジュール３と筐体１の底壁１３との間に配置されている。
【００２２】
図面を簡略化するために、図においては、単に重要な特徴である構成要素（例えば、ファンモジュール２および油煙除去モジュール３など）のみを示す一方、本考案の重要な特徴でないその他の構成要素、例えば、ファンモジュール２のファンブレードや、油煙除去モジュール３の静電シートなどを省略する。
【００２３】
筐体１は、四方形形状の立体構造であってもよいが、これに限定されない。隣接する両側面には、第１の開放側１１と第２の開放側１２とをそれぞれ有しており、第１の開放側１１と第２の開放側１２とは、必ずしも対向するように設けられるのが必要でなく、隣接する両側にするように設けられてもよい。第１、第２の開放側１１、１２の設置は、実現場での排煙パイプ、ファンモジュール２、油煙除去モジュール３の設置状況、実現場の必要に応じて任意に調整することができる。筐体１は、受容空間１５と連通する開口部１６をさらに有しており、受容空間１５内には少なくとも１つの摺動溝１４が形成されており、この開口部１６は、カバープレート１７に対応して閉鎖されている。
【００２４】
ファンモジュール２は、第１の凸部２１を有している。ファンモジュール２の排気口が第１の開放側１１に面しており、ファンモジュール２の吸気口が油煙除去モジュール３に面している。
【００２５】
油煙除去モジュール３は、第２の凸部３１を有している。油煙除去モジュール３の排気口がファンモジュール２に面し、油煙除去モジュール３の吸気口が第２の開放側１２に面している。
【００２６】
ファンモジュール２と油煙除去モジュール３の第１および第２の凸部２１、２２を筐体１の摺動溝１４に位置合わせた後、ファンモジュール２および油煙除去モジュール３を、開口部１６を介して底壁１３までに筐体１の受容空間１５に挿入させ、さらに、開口部１６をカバープレート１７で対応して閉じることにより、カバープレート１７は、ファンモジュール２および油煙除去モジュール３を位置決めおよび固定する効果を果たす。
【００２７】
カバープレート１７は、ドアバックル１７１とコントロールパネル１７２とをさらに含む。ドアバックル１７１は、筐体１の一側面に突き合わされて係合している。コントロールパネル１７２は、電圧や、電流、回転数、動作インターフェース（例えば、電圧電流、ガス圧力、温度など）の情報を示す液晶表示パネルを有する。 
【００２８】
ドアバックル１７１は、例えば、マグネットクラスプ、フック、またはターンボタンであってよいが、これらに限定されない。表示灯１７２は、例えば、デジタルメータ、またはインジケータであってよいが、これらに限定されない。
【００２９】
具体的には、運転が開始されると、ファンモジュール２がエア流を発生させることで、外気（例えば、油煙）が第２の開放側１２に吸引され、油煙除去モジュール３により処理した後、第１の開放側１１から排出される。
【００３０】
本実施形態では、２つのファンモジュール２と２つの油煙除去モジュール３とを用いたが、その数は限定されない。ファンモジュール２および油煙除去モジュール３は１または３以上であってもよいが、実際の要求に応じて調整すればよい。
【００３１】
図２Ａおよび図２Ｂはそれぞれ、本考案に係わる第２の実施形態を示す斜視図および断面図である。図１Ａから図１Ｃに併せて図２Ａおよび図２Ｂを参照すると、この第2の実施形態では、基本的な構成要素がほぼ第１の実施形態と同じであることから、ここで、それらの説明を繰り返しないとする。この一方、二つの実施形態では、筐体１には、第１の開放側１１に接する入口側４１と、出口側４２とを有するバッフルカバー４が結合されている点から両者が相違している。
【００３２】
要するに、バッフルカバー４は、処理されたエアを出口側４２から排出するように機能している。また、出口側４２は、配管に接続することにより、外部と連通することができる。本実施形態では、バッフルカバー４が直線状になっているものであってもよいが、実際の要求に応じて調整しもよく、例えば、入口側４１を各筐体１の第１の開放側１１に接続させるように設置されてもよい。
【００３３】
図３Ａおよび図３Ｂはそれぞれ、本考案に係わる第３の実施形態を示す斜視図および断面図である。図１Ａから図１Ｃに併せて図３Ａおよび図３Ｂを参照すると、本実施形態では、基本的な構成要素がほぼ第１の実施形態と同じであることから、ここで、それらの説明を繰り返しないとする。二つの実施形態では、筐体１には、第２の開放側１２に接する吸気口５１と排気口５２とを有するフローガイドカバー５が結合されている点から両者が相違している。
【００３４】
要するに、フローガイドカバー５は、可動バッフル５３によって覆われている吸気口５１から油煙を吸い込んで、油煙をフローガイドカバー５内の水循環装置５４に通過させるように機能している。また、それを清掃しようとする場合、可動バッフル５３を取り外せば、それに対し清潔や洗浄を進めることができる。
【００３５】
図４は、本考案の第４の実施形態を示す斜視図である。図１Ａから図１Ｃに併せて図４を参照すると、本実施形態では、基本的な構成要素がほぼ第１の実施形態と同じであるので、ここで、それらの説明を繰り返しないとする。二つの実施形態では、筐体１は、様々な調理器具６１およびその必要な備品（例えば、ガス）を収納可能な料理エリア６１を備える調理器具用筐体と組み合わされ、調理器具用筐体の上方には筐体１が配置されている点から両者が相違している。
【００３６】
図５は、本考案に係わる第５の実施形態を示す斜視図である。図２Ａから図２Ｂおよび図３Ａから図３Ｂに併せて図５を参照すると、本実施形態では、第２および第３の実施形態に例示の技術的特徴を共に組み合わせる上に、複数の筐体１を一緒に並列に接続するのを一例として挙げているが、筐体１は同じ直線にあるように設置する必要はなく、実際の要求（例えば、室内空間の柱）に応じて調整して設置することができる。また、バッフルカバー４は、自由に曲げるものとすることができ、フローガイドカバー５は、並列型または独立型にするものを適用することができる。
【００３７】
以上に説明したように、本考案は、以下の利点を備える。
１、メンテナンスが容易である。
２、清潔が容易である。
３、構造が簡単である。
４、必要に応じて数量を調整することができる。
【００３８】
本考案は、上記のように、好ましい実施形態を例として開示されたが、本考案を限定するものではない。この記述分野に属する当業者は、本考案の精神および範囲から逸脱することない限り、いくつかの変更および改良を行うことができる。従って、本考案の保護範囲は、添付の特許請求の範囲により定義されるものであるとする。
【符号の説明】
【００３９】
１        筐体
１１      第１の開放側
１２      第２の開放側
１３      底壁
１４      摺動溝
１５      受容空間
１６      開口部
１７      カバープレート
１７１    ドアバックル
１７２    コントロールパネル
２        ファンモジュール
２１      第１の凸部
３        油煙除去モジュール
３１      第２の凸部
４        バッフルカバー
４１      入口側
４２      出口側
５        フローガイドカバー
５１      吸気口
５２      排気口
５３      可動バッフル
５４      水循環装置
６        調理器具用筐体
６１      調理エリア
６２      調理器具
【図１Ａ】
0003222079.tif 000003
【図１Ｂ】
0003222079.tif 000004
【図１Ｃ】
0003222079.tif 000005
【図２Ａ】
0003222079.tif 000006
【図２Ｂ】
0003222079.tif 000007
【図３Ａ】
0003222079.tif 000008
【図３Ｂ】
0003222079.tif 000009
【図４】
0003222079.tif 000010
【図５】
0003222079.tif 000011
【手続補正書】
【提出日】令和1年5月7日(2019.5.7)
【手続補正１】
【補正対象書類名】実用新案登録請求の範囲
【補正対象項目名】全文
【補正方法】変更
【補正の内容】
【実用新案登録請求の範囲】
【請求項１】
第１の開放側と、第２の開放側と、底壁と、前記第１の開放側と前記第２の開放側と前記底壁で囲んでなる受容空間とを備える筐体と、
前記筐体と組み合わされると共に、その排気口が前記第１の開放側に対応するように、前記受容空間内に配置される少なくとも１つのファンモジュールと、
前記筐体と組み合わされると共に、その吸気口は前記第２の開放側に対応するように、前記受容空間内に配置される少なくとも１つの油煙除去モジュールと、を含む静音型静電式換気システムであって、
前記第１の開放側および前記第２の開放側が前記受容空間と連通しており、
前記ファンモジュールと前記油煙除去モジュールとは、前記受容空間において同じ高さに設置されており、
前記ファンモジュールは、前記油煙除去モジュールと前記底壁との間に配置されている、ことを特徴とする静音型静電式換気システム。
【請求項２】
前記筐体の内部には、少なくとも１つの摺動溝を有し、
前記ファンモジュールは、前記摺動溝に対応するように設けられている少なくとも１つの第１の凸部を有し
前記油煙除去モジュールは、前記摺動溝に対応するように設けられている少なくとも１つの第２の凸部を有する、ことを特徴とする請求項１に記載の静音型静電式換気システム。
【請求項３】
カバープレートを含んでおり、
前記カバープレートには、電圧、電流、回転数および動作インターフェースを示すための液晶表示パネルを有するコントロールパネルがさらに設けられている、ことを特徴とする請求項１に記載の静音型静電式換気システム。
【請求項４】
前記筐体には、入口側と出口側とを有するバッフルカバー、及び、吸気口と、排気口と、前記吸気口を閉じる少なくとも１つの可動バッフルとを有するフローガイドカバーとをさらに有し、
前記入口側は、前記第１の開放側に接続されており、
前記排気口は、前記第２の開放側に接続されており、
前記フローガイドカバーの内部には、洗浄水の流れを生成するための水循環装置が設けられている、ことを特徴とする請求項１に記載の静音型静電式換気システム。